(57)【特許請求の範囲】
【請求項１】
カメラに設けられる光学ファインダ表示装置であって、
ペンタプリズムと、
該ペンタプリズムを保持するプリズム保持部材と、
ファインダ内スーパーインポーズ表示を行う透過型液晶表示パネルと、
前記透過型液晶表示パネルの側端面から照明光を入射させる光源と、
前記光源が実装された配線基板と、
視野開口が形成され、該カメラの撮影範囲に相当するファインダ視野を提示する視野マスクと、
第１の押さえ部と第２の押さえ部とがあるパネル保持部材とを有し、
前記パネル保持部材は、開口部を有し、
前記第１の押さえ部は、前記開口部を囲むように形成された平面部であり、
前記第２の押さえ部は、前記第１の押さえ部の外側に設けられた前記第１の押さえ部と略直交する方向に形成された平面部であり、
該第１の押さえ部と前記プリズム保持部材との間に前記透過型液晶表示パネルを挟み込んで保持し、
前記プリズム保持部材の側壁面と前記第２の押さえ部との間に前記配線基板を挟み込んで保持することを特徴とする光学ファインダ表示装置。
【請求項２】
前記視野マスクは、前記パネル保持部材の前記第１の押さえ部によって保持されていることを特徴とする請求項１に記載の光学ファインダ表示装置。
【請求項３】
前記第２の押さえ部は、前記配線基板における前記光源が実装された面とは反対側の面を覆うように形成されていることを特徴とする請求項１または２に記載の光学ファインダ表示装置。
【請求項４】
ピント板と、該ピント板を交換可能に保持するピント板交換ユニットとをさらに有し、
前記パネル保持部材は、
前記ピント板交換ユニットを前記ピント板の交換のために回転可能に保持する交換ユニット保持部と、
前記第１の押さえ部から前記ピント板側に突出し、該ピント板を突き当てて位置決めするピント板突き当て部とを有することを特徴とする請求項１から３のいずれか一項に記載の光学ファインダ表示装置。
【請求項５】
前記開口部は、前記視野マスクの前記視野開口よりも大きい開口を有することを特徴とする請求項１から４のいずれか一項に記載の光学ファインダ表示装置。
【請求項６】
前記第２の押さえ部は、前記透過型液晶表示パネルの前記側端面に沿うように形成されていることを特徴とする請求項１から５のいずれか一項に記載の光学ファインダ表示装置。
【請求項７】
請求項１から６のいずれか一項に記載の光学ファインダ表示装置を有することを特徴とするカメラ。
【発明の詳細な説明】
【技術分野】
【０００１】
本発明は、カメラに搭載される光学ファインダ表示装置に関する。
【背景技術】
【０００２】
光学ファインダ内に被写体像に重ねて焦点検出領域等の情報をスーパーインポーズ表示する光学ファインダ表示装置は、例えば特許文献１にて開示されている。
【０００３】
特許文献１にて開示された光学ファインダ表示装置は、透過型液晶表示パネルを、ペンタプリズム等を含むファインダ光学系の光路内に配置し、液晶表示パネルの液晶セグメントを電気的に透過状態と拡散状態とに切り替えることでスーパーインポーズ表示を行う。また、透過型液晶表示パネルの側端面からＬＥＤ等の光源から発せられた照明光を入射させて表示セグメントを照明する。これにより、被写界が暗いときでも明るいスーパーインポーズ表示が可能となる。
【先行技術文献】
【特許文献】
【０００４】
【特許文献１】特開２００５−３４５９６６号公報
【発明の概要】
【発明が解決しようとする課題】
【０００５】
しかしながら、特許文献１の光学ファインダ表示装置では、透過型液晶表示パネルと該液晶表示パネルを照明する光源が実装された配線基板を保持するために、ペンタプリズムを保持するペンタプリズムホルダを上下に分け、それらを結合した構成を有する。このような構成では、ペンタプリズムホルダが大型となってカメラ内に光学ファインダ表示装置を配置するために大きなスペースが必要となる。この結果、カメラが大型化してしまう。
【０００６】
本発明は、ペンタプリズム、スーパーインポーズ表示を行う透過型液晶表示パネルおよびこれを照明する光源が実装された配線基板をスペース効率良く保持することができ、カメラの大型化を回避できるように小型化された光学ファインダ表示装置を提供する。
【課題を解決するための手段】
【０００７】
本発明の一側面としての光学ファインダ表示装置は、ペンタプリズムと、該ペンタプリズムを保持するプリズム保持部材と、ファインダ内スーパーインポーズ表示を行う透過型液晶表示パネルと、透過型液晶表示パネルの側端面から照明光を入射させる光源と、該光源が実装された配線基板と、視野開口が形成され、該カメラの撮影範囲に相当するファインダ視野を提示する視野マスクと、第１の押さえ部と第２の押さえ部とがあるパネル保持部材とを有する。そして、パネル保持部材は、開口部を有し、第１の押さえ部は、該開口部を囲むように形成された平面部であり、第２の押さえ部は、第１の押さえ部の外側に設けられた該第１の押さえ部と略直交する方向に形成された平面部であり、該第１の押さえ部とプリズム保持部材との間に透過型液晶表示パネルを挟み込んで保持し、さらに、プリズム保持部材の側壁面と第２の押さえ部との間に配線基板を挟み込んで保持することを特徴とする。
【発明の効果】
【０００８】
本発明によれば、プリズム保持部材とパネル保持部材によって、ペンタプリズム、透過型液晶表示パネルおよび光源が実装された配線基板をスペース効率良く保持することができる。したがって、光学ファインダ表示装置を小型化することができ、カメラの大型化を回避することができる。
【図面の簡単な説明】
【０００９】
【図１】本発明の実施例である光学ファインダ表示装置を備えたカメラの概略構成を示す図。
【図２】実施例の光学ファインダ表示装置に用いられる透過型液晶表示パネルを示す図。
【図３】上記光学ファインダ表示装置の分解斜視図。
【図４】上記光学ファインダ表示装置における液晶表示パネル用照明光源付近を示す拡大断面図。
【図５】上記光学ファインダ表示装置のパネル押さえ板の上下斜視図。
【発明を実施するための形態】
【００１０】
以下、本発明の実施例について図面を参照しながら説明する。
【実施例１】
【００１１】
図１には、本発明の実施例である光学ファインダ表示装置を搭載した一眼レフカメラの構成を示している。１は一眼レフカメラであり、そのマウント部には、交換レンズ２が着脱可能に装着されている。交換レンズ２内には、複数のレンズ（図では便宜上２つのレンズを示している）により構成された撮影光学系が収容されている。
【００１２】
カメラ１において、３は主ミラーであり、光学ファインダ観察状態と撮影状態とで撮影光路に対して挿入されたり退避したりする。
【００１３】
４はシャッタであり、撮像素子５に対する露光量を制御する。撮像素子５は、ＣＣＤセンサやＣＭＯＳセンサ等の光電変換素子により構成されている。
【００１４】
６は撮影光学系の予定結像面に配置されたピント板である。７は視野マスクであり、撮像素子５により撮像される撮影範囲に相当するファインダ視野をユーザに提示する（視認させる）ために設けられている。
【００１５】
８はピント板６に近接した位置であって該ピント板６よりも後述するペンタプリズム側に配置された透過型液晶表示パネル（以下、液晶パネルという）である。液晶パネル８は、光学ファインダによりユーザに観察される被写体像に重畳して、焦点検出領域を示すＡＦ枠等のファインダ内表示情報をスーパーインポーズ表示する。すなわち、ファインダ内スーパーインポーズ表示を行う。
【００１６】
９はファインダ光路変用のペンタプリズムであり、ピント板６からの光束を反射して、ピント板６上に形成された被写体像を正立像に変換する。１０は正立像に変換された被写体像をユーザに拡大観察させる接眼レンズである。
【００１７】
１１は液晶パネル８の側端面から該液晶パネル（液晶セグメント）を照明する照明光を入射させるパネル照明光源であり、ＬＥＤ等の発光素子が用いられている。ここにいう「側端面」は、矩形の液晶パネル８の前後左右の４つの端面のいずれでもよいが、本実施例では、液晶パネル８の短辺側（左右）の端面とする。
【００１８】
１２は液晶パネル８を駆動する、すなわち液晶パネル８の複数の液晶表示セグメントを選択的に、透過状態と拡散状態とに電気的に切り替えるパネル駆動回路である。パネル照明光源１１からの照明光は拡散状態の液晶表示セグメントによって反射され、その反射光が接眼レンズ１０を通して被写体像を観察しているユーザの眼に到達する。これにより、図２に示すように、ファインダ視野内に複数設定されたＡＦ枠１３が明るくスーパーインポーズ表示される。なお、被写体が十分明るい場合等ではパネル照明光源１１は点灯せず、この場合は、被写体からペンタプリズム９に向かう光が拡散状態の液晶表示セグメントによって遮光されることで、ＡＦ枠１３がスーパーインポーズ表示される。
【００１９】
図３には、本実施例の光学ファインダ表示装置を分解して示している。また、図４には、該光学ファインダ表示装置のうちパネル照明光源１１の付近の断面を拡大して示している。
【００２０】
プリズム保持部材としてのペンタプリズムホルダ１４は、ペンタプリズム押さえ板１５とともにペンタプリズム９を保持する。また、ペンタプリズムホルダ１４は、後述するパネル押さえ板２１とともに、ピント板６、視野マスク７、液晶パネル８、パネル照明光源１１が実装された光源配線基板１８を保持する。また、パネル押さえ板２１は、ピント板交換ユニット２３を保持する。
【００２１】
ペンタプリズム押さえ板１５は、ＳＵＳ等の金属により製作され、ペンタプリズム押さえ板バネ１７とペンタプリズム９（ダハ面９ａ）の上から、その３箇所に形成されたビス穴部に挿入されたビス１６によってペンタプリズムホルダ１４に取り付けられる。これにより、ペンタプリズムホルダ１４は、ペンタプリズム９がペンタプリズム押さえ板バネ１７によって下方に向かって付勢された状態で保持する。
【００２２】
光源配線基板１８は、パネル照明光源１１が実装されたフレキシブルプリント基板である。光源配線基板１８は、そのボス穴部１８ａに、ペンタプリズムホルダ１４の下部側面に設けられたボス１４ａが挿入されて係合することでペンタプリズムホルダ１４に対して位置決めされる。
【００２３】
１９は光源偏光板であり、パネル照明光源１１から発せられた無偏光光である照明光を液晶パネル８の短辺側の端面８ａに平行な方向を偏光方向とする直線偏光に変換する。これにより、液晶パネル８の透過部分に入射した照明光がファインダ光軸方向（ペンタプリズム９の方向）に射出しにくくし、照明光によって透過部分が光って見える現象を抑制する。また、光源偏光板１９のうち液晶パネル８の端面８ａ側の面は接着面となっている。図４に示すように、該接着面が液晶パネル８とパネル照明光源１１との間に位置するペンタプリズムホルダ１４の側壁面に貼り付けられることにより、光源偏光板１９がペンタプリズムホルダ１４により保持される。
【００２４】
パネル保持部材としてのパネル押さえ板２１は、ＳＵＳ等の金属により製作され、ペンタプリズムホルダ１４との間に（すなわち、ペンタプリズムホルダ１４とともに）、液晶パネル８および光源配線基板１８を挟み込んで保持する。パネル押さえ板２１は、ビス２２によりペンタプリズムホルダ１４の下面（ペンタプリズムホルダ１４の側面よりも内側）に結合される。パネル押さえ板２１と液晶パネル８との間には、液晶パネル８をペンタプリズムホルダ１４の下面に押しつけるように付勢するパネル押さえバネ２０が配置される。
【００２５】
また、パネル押さえ板２１には、視野マスク７が接着剤や両面テープ等を用いて貼り付けられる。これにより、視野マスク７がパネル押さえ板２１により保持される。視野マスク７は、遮光枠部の内側に撮影範囲に相当する視野開口７ａが形成された平板状の部材である。
【００２６】
さらに、パネル押さえ板２１は、ピント板交換ユニット２３をピント板６の交換のために回転可能となるように保持する。パネル押さえ板２１は、ピント板交換ユニット２３とともに（ピント板交換ユニット２３との間に）、ピント板６を挟み込んで保持する。このとき、パネル押さえ板２１は、ピント板６の位置決めを行う。
【００２７】
図３に示すように、ピント板交換ユニット２３は、ピント板ホルダ２５とホルダ軸２６とにより構成され、ピント板６を交換可能に保持する。ピント板ホルダ２５に取り付けられたホルダ軸２６が、パネル押さえ板２１に形成された後述するホルダ軸穴部に挿入されることで、ピント板ホルダ２５（ピント板交換ユニット２３）がパネル押さえ板２１により上下方向に回転可能（開閉可能）に保持される。
【００２８】
また、図３に示す交換ユニット押さえバネ２４は、その２つの穴部２４ａとペンタプリズムホルダ１４に形成された２つの穴部１４ｂとに不図示のピンが挿入され、該ピンがカシメられることによってペンタプリズムホルダ１４に取り付けられる。交換ユニット押さえバネ２４には係止開口部２４ｂが形成されている。該係止開口部２４ｂにピント板ホルダ２５に設けられた係止突起２５ａが係合することで、ピント板交換ユニット２３をパネル押さえ板２１に対して上方に閉じた状態（ピント板６を保持した状態）に係止することができる。
【００２９】
このようにして、ピント板交換ユニット２３は、パネル押さえ板２１と交換ユニット押さえバネ２４を介してペンタプリズムホルダ１４により保持される。そして、図４に示すように、パネル押さえ板２１と閉じた状態のピント板ホルダ２５とがピント板６を挟み込んで保持する。交換ユニット押さえバネ２４の係止開口部２４ｂとピント板ホルダ２５の係止突起２５ａとの係合を外すことで、ピント板ホルダ２５をパネル押さえ板２１に対して下方に開くことができ、ピント板６を交換することが可能となる。
【００３０】
次に、パネル押さえ板２１のさらに詳しい形状について、図５を用いて説明をする。図５（ａ）はパネル押さえ板２１を斜め上方（ペンタプリズムホルダ１４側）から見た図であり、図５（ｂ）はパネル押さえ板２１を斜め下方（ピント板６側）から見た図である。
【００３１】
パネル押さえ板２１において、第１の押さえ部である第１の平面部２１ａは、ペンタプリズムホルダ１４の下面に平行な平面として形成され、かつ視野マスク７の視野開口７ａよりも広い開口２１ｂを囲む枠形状に形成されている。第１の平面部２１ａを視野開口７ａよりも広い開口２１ｂを囲む枠形状に形成するのは、第１の平面部２１ａによって視野開口７ａ内を通る光束を遮らないようにするためである。第１の平面部２１ａは、図４に示すように、ペンタプリズムホルダ１４の下面との間に液晶パネル８とパネル押さえバネ２０とを挟み込んでこれらを保持する。また、第１の平面部２１ａにおける下面（液晶パネル８とは反対側の面）には、視野マスク７が、前述したように接着剤や両面テープ等によって貼り付けられる。
【００３２】
パネル押さえ板２１において、第２の押さえ部である第２の平面部２１ｃ，２１ｄは、第１の平面部２１ａの外側端から液晶パネル８の側端面８ａに沿って延びるように上方に折り曲げられて形成された平面である。第２の平面部２１ｃ，２１ｄは、図４に示すように光源配線基板１８のパネル照明光源１１の実装面とは反対側の面に当接し、光源配線基板１８をペンタプリズムホルダ１４の側壁面との間に挟み込んでこれを保持する。また、第２の平面部２１ｃ，２１ｄは、光源配線基板１８におけるパネル照明光源１１の実装面とは反対側の面を覆うように形成されているため、パネル照明光源１１からの光が液晶パネル８の側端面８ａとは反対方向に漏れ出ることを防ぐ役割も有する。
【００３３】
図５（ａ）に示す第２の平面部２１ｃに形成された２つのボス穴部２１ｆには、図３に示したペンタプリズムホルダ１４の一方の側壁面に形成されて光源配線基板１８の一方の部分に形成されたボス穴部１８ａにも挿入されたボス１４ａが挿入されて係合する。
【００３４】
図５（ｂ）に示す第２の平面部２１ｄに形成された２つの逃げ穴部２１ｇは、ペンタプリズムホルダ１４の他方の側壁面に形成されて光源配線基板１８の他方の部分に形成されたボス穴部１８ａに挿入されたボス１４ａとの干渉を避けるための長穴である。
【００３５】
図５（ａ），（ｂ）に示すように、第２の平面部２１ｄの上端には、第３の平面部２１ｅが、第２の平面部２１ｄに対して外側方に延びるように折り曲げられて形成されている。第３の平面部２１ｅの２箇所には、パネル押さえ板２１をペンタプリズムホルダ１４に結合するためのビス２２が挿入されるビス穴部２１ｈが形成されている。
【００３６】
こうして、第２の平面部２１ｃのボス穴部２１ｆにペンタプリズムホルダ１４のボス１４ａが係合するとともに、第３の平面部２１ｅがビス２２によりペンタプリズムホルダ１４に結合される。これにより、第１の平面部２１ａが、ペンタプリズムホルダ１４に対してファインダ光軸方向において位置決めされて固定される。そして、これにより、第１の平面部２１ａとペンタプリズムホルダ１４との間にパネル押さえバネ２０とともに挟み込まれた液晶パネル８も、ペンタプリズムホルダ１４に対してファインダ光軸方向にて位置決めされて保持される。
【００３７】
また、第１の平面部２１ａには、２つの位置決め穴部（一方は逃げ穴部）２１ｉが形成されている。これらの位置決め穴部２１ｉには、ペンタプリズムホルダ１４の下面から突出する不図示の位置決めボスが挿入される。これにより、第１の平面部２１ａが、ペンタプリズムホルダ１４に対してファインダ光軸方向に直交する方向にて位置決めされる。
【００３８】
また、第１の平面部２１ａの下面には、図５（ｂ）に示すように、第１の平面部２１ａから下方（ピント板側）に突出するように立ち曲げられたピント板位置決め突起（ピント板突き当て部）２１ｊが設けられている。ピント板位置決め突起２１ｊは、ピント板６の側端面（本実施例では短辺側の端面）に当接して、ピント板６の長辺方向での位置決めを行う。ピント板６は、ピント板位置決め突起２１ｊとは反対側の側端面が不図示の付勢部材によってピント板位置決め突起２１ｊの方向に付勢される。これにより、ピント板６は、ピント板位置決め突起２１ｊに押し付け状態で突き当てられて位置決めされる。
【００３９】
なお、本実施例では、ピント板位置決め突起２１ｊをピント板６の短辺側の端面に当接させる場合について説明したが、ピント板６の長辺側の端面に当接させでもよい
さらに、パネル押さえ板２１には、図５（ｂ）に示すように、前述したホルダ軸穴部（交換ユニット保持部）２１ｋと、ホルダ回転ストッパ２１ｍとが設けられている。ホルダ軸穴部２１ｋには、前述したように、ピント板ホルダ２５に取り付けられたホルダ軸２６が挿入され、これによりピント板交換ユニット２３を回転可能（開閉可能）に保持する。また、ホルダ回転ストッパ２１ｍは、ピント板ホルダ２５の開き方向の回転を所定位置で停止させることで、開いたピント板ホルダ２５が主ミラー３に衝突して主ミラー３が傷付くことを防止する。
【００４０】
以上説明した本実施例の光学ファインダ装置によれば、ペンタプリズムホルダ１４とパネル押さえ板２１とによって、ペンタプリズム９、液晶パネル８および光源配線基板１８をスペース効率良く保持することができる。さらに、パネル押さえ板２１によって、視野マスク７とピント板交換ユニット２３を保持することもできる。したがって、光学ファインダ表示装置を小型化することができ、カメラの大型化を回避することができる。
【００４１】
以上説明した実施例は代表的な例にすぎず、本発明の実施に際しては、実施例に対して種々の変形や変更が可能である。
【産業上の利用可能性】
【００４２】
液晶表示パネルを含む小型の光学ファインダ表示装置およびこれを搭載した小型のカメラを提供できる。
【符号の説明】
【００４３】
７  視野マスク
８  透過型液晶表示パネル
９  ペンタプリズム
１１  パネル照明光源
１４   ペンタプリズムホルダ
１８   光源配線基板
２１   パネル押さえ板
【図１】
0005725787.tif 000002
【図２】
0005725787.tif 000003
【図３】
0005725787.tif 000004
【図４】
0005725787.tif 000005
【図５】
0005725787.tif 000006